(57)【要約】【課題】  乗車時の安全が確保される車両用乗降口扉を提供する。【解決手段】  乗降口１に設けられる扉２の開閉端縁部９の外側に手摺１０が取付けられる。したがって、乗客は、手摺１０を把持することにより、乗車時にプラットフォームから車両へ姿勢をくずすことなく乗り移ることができる。また、乗降口１の乗降口外枠１４に手摺収容部１６が設けられるため、扉２が開かれた状態で、扉２に設けられる手摺１０が乗降口外枠１４に干渉するのが回避されると共に、当該手摺１０が車体外側に露出される。【選択図】  図２
2006117001.tif 000002
【特許請求の範囲】
【請求項１】
乗降口に設けられる引戸構造の車両用乗降口扉であって、該扉の開閉端縁部外側に設けられて前記扉の上下方向へ延びる手摺と、前記乗降口に設けられて前記扉が開かれた状態の前記手摺が収容される手摺収容部と、を具備することを特徴とする車両用乗降口扉。
【請求項２】
前記扉の開閉端縁部外側に前記手摺に沿って延びる凹部が設けられることを特徴とする請求項１に記載の車両用乗降口扉。
【請求項３】
前記手摺が前記扉の開閉端縁と一体で形成されることを特徴とする請求項１又は２に記載の車両用乗降口扉。
【発明の詳細な説明】
【技術分野】
【０００１】
本発明は、車両用乗降口扉に関して、特に、鉄道車両等の旅客車に設けられる引戸構造の車両用乗降口扉に関する。
【背景技術】
【０００２】
例えば、鉄道車両では、乗客の安全確保の点で、乗降口の床面の縁端とプラットフォームの縁端との間隔、並びに乗降口の床面とプラットフォームとの段差が、車両の走行に支障がない範囲で極力小さいことが望まれる。しかしながら、施設等の制約から、乗降口の床面の縁端とプラットフォームの縁端との間隔、又は乗降口の床面とプラットフォームとの段差が大きくなることがある。一般に、鉄道車両では、車体内側（客室側）の乗降口近傍に手摺（例えば、特許文献１参照。）が設置されているが、車体外側には乗客用の手摺が設置されていない。このため、鉄道車両では、乗降口の床面の縁端とプラットフォームの縁端との間隔、又は乗降口の床面とプラットフォームとの段差が大きい場合に、特に、乗客が高齢者や幼年者等の弱者である場合には乗車の際に乗客が体勢をくずし易く、これら弱者の安全確保が技術課題になっていた。
【０００３】
しかしながら、鉄道車両では、例えば車体外板に手摺（取っ手）を設置した場合、手摺が当該車体外板に対して外側（プラットフォーム側）へ突出されるため、車両の幅寸法が拡大されて規定値を越えてしまったり、手摺を収容するために客室の居住性が犠牲になってしまったり、また、手摺がプラットフォーム上の乗客と接触する虞があることから、車体外側に手摺を設置することができず、乗客の安全確保が困難であった。
【特許文献１】実開昭５９−７６４２９号公報（第２頁１５行目〜第３頁１７行目、図２）
【発明の開示】
【発明が解決しようとする課題】
【０００４】
そこで本発明は、上記事情に鑑みてなされたもので、乗車時の安全が確保される車両用乗降口扉を提供することを目的とする。
【課題を解決するための手段】
【０００５】
上記目的を達成するために、本発明のうち請求項１に記載の発明は、乗降口に設けられる引戸構造の車両用乗降口扉であって、該扉の開閉端縁部外側に設けられて扉の上下方向へ延びる手摺と、乗降口に設けられて扉が開かれた状態の手摺が収容される手摺収容部と、を具備することを特徴とする。
請求項２に記載の発明は、請求項１に記載の車両用乗降口扉において、扉の開閉端縁部外側に手摺に沿って延びる凹部が設けられることを特徴とする。
請求項３に記載の発明は、請求項１又は２に記載の車両用乗降口扉において、手摺が扉の開閉端縁と一体で形成されることを特徴とする。
【０００６】
したがって、請求項１に記載の発明では、手摺が車体外側に設けられる。また、扉が開かれた状態の手摺が乗降口に設けられた手摺収容部に収容されるため、手摺と乗降口（車体の側部外板）との干渉が回避される。
請求項２に記載の発明では、凹部によって、手摺と扉との間に、乗客が手を差入れるための空隙が形成される。
請求項３に記載の発明では、手摺が扉と一体で構成される。
【発明の効果】
【０００７】
乗車時の安全が確保される車両用乗降口扉を提供することができる。
【発明を実施するための最良の形態】
【０００８】
本発明の一実施の形態を図１〜図４に基づいて説明する。図１に示される車両用乗降口１（以下、単に乗降口１と称する。）は、鉄道車両の車体の両側部（車体の左右の側部）に配設される。そして、図１及び図２に示されるように、各乗降口１には、両開き引戸構造の一対の扉２，３（車両用乗降口扉）が設けられる。なお、一対の扉２，３及び乗降口１は、左右（図１における紙面視左右）で対称に構成されているので、ここでは、右側（図１における紙面視右側）の扉２及び乗降口１の右側部分のみを詳細に説明して、左側（図１における紙面視左側）の扉３及び乗降口１の左側部分の詳細な説明を省くと共に相当する構成には同一の符号を付与する。上記扉２は、正面視（図１における紙面視）で略矩形に形成されて、図３に示されるように、下部が車体内側（図３における紙面視左側）に向けて略く字状に屈折される。また、上記扉２は、乗降口１の上下に相互に平行に設けられた一対の案内レール４，５によって左右方向へスライド可能に支持される。さらに、上記扉２は、扉駆動機構によって駆動されることで開閉されて、図２に示されるように、開かれた状態では側部外板６と側部内板７との間隙に形成される戸袋８に収納される。
【０００９】
図１〜３に示されるように、上記扉２には、開閉端縁部９（図１における紙面視左側の上下方向へ延びる部分）の外側（図２における紙面視下側）に、当該開閉端縁部９に沿って上下方向へ延びる手摺１０が設けられる。該手摺１０は、略円柱状に形成される把持部１１と、該把持部１１の両端に設けられて上記扉２の開閉端縁部９の外側に固定される取付部１２とによって構成される。また、上記扉２には、開閉端縁部９の外側の手摺１０の両端の取付部１２間に、当該開閉端縁部９に沿って上下方向へ延びる凹部１３が設けられる。そして、上記乗降口１には、車体の側部外板６に設けられて各乗降口１の車体外側を構成する断面が略Ｌ字状の乗降口外枠１４が、車体の側部内板７に設けられて各乗降口１の車体内側を構成する乗降口内枠１５（図２〜図３参照）に対して扉開方向（図１及び図２における紙面視右方向）へオフセットされて、手摺収容部１６が形成される。
【００１０】
これにより、上記乗降口１では、扉２が開かれた状態で、扉２の外側に設けられた手摺１０が乗降口外枠１４（車体の側部外板６）に干渉するのが回避されると共に、当該手摺１０が車体外側に露出される構造になっている。なお、上記乗降口１では、手摺１０が車幅からはみ出さないように設けられており、図２及び図３に示されるように、車体の側部に対して、手摺１０が車体外側（図２における紙面視下側、且つ図３における紙面視右側）にはみ出さないようにすることが望ましい。
【００１１】
次に、本実施の形態の作用を説明する。図４は、両開き引戸構造の一対の扉２，３扉２，３（車両用乗降口扉）が閉じられた状態を示す。この状態で、各扉２，３が扉駆動機構によって相互に離反方向へ駆動されて各扉２，３が開かれる。図１に示されるように、各扉２，３が開かれた状態では、各扉２，３の各手摺１０が乗降口外枠１４の左右両側に設けられた各手摺収容部１６に収容されて、プラットフォーム上で乗降口１の正面に立つ乗客の左右両側に、車体外側に露出された状態で各手摺１０が配置される。なお、図２に示されるように、各扉２，３が開かれた状態では、各扉２，３の開閉端縁部９が乗降口内枠１５に対して各扉２，３の閉じ方向（扉２においては図２における紙面視左方向）へ突出されないように退避される。そして、乗客は、例えば正面右側の手摺１０を把持しつつ、プラットフォームから車両に乗り移ることにより、姿勢をくずすことなく安全に乗車することができる。
【００１２】
この実施の形態では以下の効果を奏する。
本車両用乗降口扉では、乗降口１に設けられる各扉２，３の各開閉端縁部９の外側に手摺１０が取付けられる。したがって、乗客は、手摺１０を把持することにより、乗車時にプラットフォームから車両へ姿勢をくずすことなく乗り移ることができる。これにより、乗客が高齢者や幼年者等であっても、乗車時の安全が確保される。
また、本車両用乗降口扉では、乗降口１の乗降口外枠１４に手摺収容部１６が設けられるため、各扉２，３が開かれた状態で、各扉２，３に設けられる手摺１０が乗降口外枠１４（車体の側部外板６）に干渉するのが回避されると共に、当該手摺１０が車体外側に露出される。さらに、乗降口１の乗降口外枠１４に手摺収容部１６が設けられるため、乗降口１の有効開口寸法が確保されると共に、車両の客室有効寸法が維持されて当該客室の居住性が確保される。
【００１３】
また、本車両用乗降口扉では、各扉２，３の開閉端縁部９の外側に各手摺１０に沿って延びる凹部１３が設けられる。これにより、乗客は、凹部１３に手を差入れて手摺１０を把持することができ、手摺１０を乗降口外枠１４（車体の側部外板６）に対して車体外側へ突出させないといった設計上の制約をクリアしつつ、且つ車両の客室に突出する部分がないため当該客室の居住性を犠牲にすることなく、把持し易い手摺１０を提供することが可能になる。
また、本車両用乗降口扉では、手摺１０及び凹部１３が上下方向へ延びるように設けられるため、乗客の体格（身長）に幅広く対応させることができる。
【００１４】
なお、実施の形態は上記に限定されるものではなく、例えば次のように構成してもよい。
本実施の形態では、乗降口１の乗降口外枠１４の幅寸法が拡大されて乗降口１（乗降口外枠１４）の左右両側に手摺収容部１６が形成されるが、手摺１０と乗降口外枠１４とが干渉しないという要件を満たしていれば、手摺収容部１６を、例えば、図５〜図８に示される意匠としてもよい。
この場合、車両（旅客車）の美観を向上させることができると共に、必要に応じて乗降口外枠１４の強度を高めることができる。
【００１５】
本実施の形態では、図２に示されるように、手摺１０の取付部１２が各扉２，３の外側面に対して略垂直に立設されるが、図９に示されるように、必要に応じて、手摺１０の取付部１２を各扉２，３の外側面に対して所定の角度θで傾斜させてもよい。
本実施の形態では、略円柱状に形成された把持部１１の両端に取付部１２が設けられるが、図１０に示されるように、一側端部に把持部１１が設けられると共に他側が各扉２，３の凹部１３に接合される取付片１７を含んで手摺１０を構成してもよい。
本実施の形態では、手摺１０が各扉２，３と別体で構成されるが、図１１に示されるように、各扉２，３の凹部１３を形成する板の一側をロール状に成形して手摺１０を形成してもよい。この場合、各扉２，３と手摺１０とが一体で形成されるため、部品点数が削減されて製造コストを低減することができる。
本実施の形態では、凹部１３が手摺１０の両端の取付部１２間に設けられるが、図１２に示されるように、手摺１０の両端の取付部１２を凹部１３に取付けるように構成してもよい。
【図面の簡単な説明】
【００１６】
【図１】本実施の形態の説明図で、扉が開かれた状態の乗降口を車体外側からの視線で見た図である。
【図２】図１におけるＡ−Ａ断面を示す図である。
【図３】図１におけるＢ−Ｂ断面を示す図である。
【図４】本実施の形態の説明図で、扉が閉じられた状態の乗降口を車体外側からの視線で見た図である。
【図５】他の実施の形態の説明図で、扉が閉じられた状態の乗降口を車体外側からの視線で見た図である。
【図６】図５に示される扉が開かれた状態を示す図である。
【図７】他の実施の形態の説明図で、扉が閉じられた状態の乗降口を車体外側からの視線で見た図である。
【図８】図７に示される扉が開かれた状態を示す図である。
【図９】他の実施の形態の説明図で、手摺の取付部を各扉の外側面に対して所定の角度θで傾斜させた状態を示す図である。
【図１０】他の実施の形態の説明図で、一側端部に把持部が設けられて他側が凹部に接合される取付片を含んで構成される手摺が扉に取付けられた状態を示す図である。
【図１１】他の実施の形態の説明図で、扉と一体で形成される手摺を示すための図である。
【図１２】他の実施の形態の説明図で、手摺１０の両端の取付部１２が凹部１３に取付けられた状態を示すための図である。
【符号の説明】
【００１７】
１  乗降口、２，３  扉、６  側部外板、９  開閉端縁部、１０  手摺、１６  手摺収容部
【図１】
2006117001.tif 000003
【図２】
2006117001.tif 000004
【図３】
2006117001.tif 000005
【図４】
2006117001.tif 000006
【図５】
2006117001.tif 000007
【図６】
2006117001.tif 000008
【図７】
2006117001.tif 000009
【図８】
2006117001.tif 000010
【図９】
2006117001.tif 000011
【図１０】
2006117001.tif 000012
【図１１】
2006117001.tif 000013
【図１２】
2006117001.tif 000014